(57)【特許請求の範囲】
【請求項１】
ブローチ本体への取り付け部を有する背板と、該背板の上部には、略半円弧状をなして垂下する針部材を取り付けると共に、前記背板の下部には、先端では前記針部材のカバー部を有し、根元では軸支部により前記背板と開閉可能に取り付けられる連結片とからなり、前記軸支部には前記連結片を付勢する弾性体を装填するブローチ金具であって、前記連結片が開いた状態あるいは閉じた状態においては前記針部材の先端が前記連結片のカバー部に挿入されることを特徴とするブローチ金具。
【請求項２】
ブローチ本体への取り付け部を有する背板と、該背板の上部には、略半円弧状をなして垂下する針部材を取り付けると共に、前記背板の中部には、先端では前記針部材のカバー部を有し、根元では軸支部により前記背板と開閉可能に取り付けられる連結片と、前記背板の下部には、先端では前記連結片との接続部を有し、根元では軸支部により前記背板と開閉可能に取り付けられる支持片とからなり、該支持片の軸支部には該支持片を開方向に付勢する弾性体を装填するブローチ金具であって、前記支持片が開いた状態においては前記連結片のカバー部に前記針部材の先端が挿入されかつ前記連結片の位置を固定することを特徴とするブローチ金具。
【請求項３】
前記連結片の両側部には切り欠き部が形成されると共に、該切り欠き部には前記支持片の接続部における棒軸が挿通され、前記支持片は、前記連結片にスライド自在に取り付けられることを特徴とする請求項２に記載のブローチ金具。
【発明の詳細な説明】
【技術分野】
【０００１】
この発明は、装身具ブローチを衣服等に取り付けるための操作を極めて容易とするブローチ金具に関する。
【背景技術】
【０００２】
従来のブローチ金具を改良したものとしては、例えば、図１３に示すようなものが存在する。このブローチ金具１４０は、ブローチ本体１４２の裏面の一端に、針状の係止片１４４の端部１４６を回動自在に軸支し、ブローチ本体１４２の裏面の他端に、係止片１４４の尖った先端を止める係止受体１４８を設けており、この係止受体１４８は、図１４に示すように、一端側に山型の切り欠き部１４８ａが入った円筒１４８ｂの内側に、一端にフランジ部１５０ａを設けた筒部１５０を嵌め入れ、このフランジ部１５０ａをつまんで移動させ（図の矢印方向）、筒部１５０を係止受体１５８の円筒１５８ｂから出し入れして、係止片１４４の針状の先端を円筒１４８ｂ内に係止自在とするものである。
【０００３】
このブローチ金具１４０は、係止片の針状の先端を開閉自在の二重輪環内に係止する構造であったと従来のブローチ金具に比べると、係止片１４４を円筒１４８ｂ内に挿入することができるため、係止片１４４が外れ難く、また金具自体の耐久性を向上させたという利点を有するが、このブローチ金具１４０を衣服等に装着する際には、その度毎に係止受体１４８を開閉する動作、すなわち筒部１５０をフランジ部１５０ａでつまんで移動する動作が必要であり、かつその動作は衣服とブローチ本体１４２のわずかな隙間で行なわなければならないという不便さがあった。特に年齢の重ねている人にとっては、ブローチ金具１４０の装着は決して容易でなく、誤って人肌に針を刺してしまうという事故も度々生じていた。
【発明の開示】
【発明が解決しようとする課題】
【０００４】
本発明は、衣服等への装着に要する動作がきわめて容易で、かつ外れ難いブローチ金具を提供することを目的とする。
【課題を解決するための手段】
【０００５】
上記目的を達成するために、請求項１に記載された本発明は、ブローチ本体への取り付け部を有する背板と、該背板の上部には、略半円弧状をなして垂下する針部材を取り付けると共に、前記背板の下部には、先端では前記針部材のカバー部を有し、根元では軸支部により前記背板と開閉可能に取り付けられる連結片とからなり、前記軸支部には前記連結片を付勢する弾性体を装填するブローチ金具であって、前記連結片が開いた状態あるいは閉じた状態においては前記針部材の先端が前記連結片のカバー部に挿入されるブローチ金具であることを特徴とする。また、請求項２に記載された発明は、ブローチ本体への取り付け部を有する背板と、該背板の上部には、略半円弧状をなして垂下する針部材を取り付けると共に、前記背板の中部には、先端では前記針部材のカバー部を有し、根元では軸支部により前記背板と開閉可能に取り付けられる連結片と、前記背板の下部には、先端では前記連結片との接続部を有し、根元では軸支部により前記背板と開閉可能に取り付けられる支持片とからなり、該支持片の軸支部には該支持片を開方向に付勢する弾性体を装填するブローチ金具であって、前記支持片が開いた状態においては前記連結片のカバー部に前記針部材の先端が挿入されかつ前記連結片の位置を固定するブローチ金具であることを特徴とする。
【０００６】
さらに、本発明においては、請求項２に記載のブローチ金具において、前記連結片の両側部には切り欠き部が形成されると共に、該切り欠き部には前記支持片の接続部における棒軸が挿通され、前記支持片は、前記連結片にスライド自在に取り付けられることが好ましい。
【発明の効果】
【０００７】
本発明に係るブローチ金具によれば、ブローチ本体をスライドするだけで衣服に簡単に取り付けることができ、その状態においては連結片が針部材の先端に当接しているので、衣服から外れることがない。また、針部材と連結片が当接する状態を支持片により固定すれば、ブローチ本体を確実に固定することができる。さらに、ネックレスチェーンを針部材と連結片により形成されるループ内に挿通し、ブローチ本体をペンダントとして使用することもできる。
【発明の実施の形態】
【０００８】
以下、本発明に係るブローチ金具の好ましい実施形態を図面により詳細に説明する。図１において、（ａ）は、連結片が閉じた第１ブローチ金具を示す斜視図、（ｂ）は、連結片を開いた第１ブローチ金具を示す斜視図である。図２は、第１ブローチ金具を閉じた状態を示す平面図である。図３は、コイルばねを示す斜視図である。図４において、（ａ）（ｂ）は、第１ブローチ金具の衣服への装着方法を示す説明図である。
【０００９】
第１ブローチ金具１０は、背板１２に針部材１４及び連結片１６を取り付けて構成されるもので、例えば、プラチナ、金、銀等の貴金属や、またはその他の金属に金メッキや銀メッキ加工を施したものを素材とし、その製法は、例えば、ロストワックスキャスティング、プレス切断加工、線引き加工等により製造される。
【００１０】
背板１２は、例えば、幅３ｍｍ程度、厚み１ｍｍ程度の寸法からなる板状体で、長さはブローチ本体１８の大きさに応じて決定される。背板１２の上下２箇所には、翼状で両側方向に拡がる取り付け部２０が形成され、取り付け部２０の略中央にはねじ穴２２が開口されており、例えば、木ねじ２４等を使用して、背板１２はブローチ本体１８に対し９０度に突出する方向に取り付けることができる。
【００１１】
また、背板１２の下部の所定箇所には、横方向の軸穴２６が開口される。
【００１２】
針部材１４は、例えば、厚み１程度、幅１．５ｍｍ程度の背板上部から延設する偏平な板状体であり、側面から見た場合には略半円弧状に垂下し、先端方向に向かってなだらかなスロープ部２８を形成しつつ、先端では鋭利となり、後記するように衣服等に突き刺すことができるものである。針部材１４を板状体に形成するのは、その強度を高めるためであるが、もちろん線材からなる一般的な針形状を採用することもできる。なお、針部材１４の長さ、形状に特に限定はないが、例えば、その長さを背板１２の長さの約３分の２程度の寸法とすることができる。
【００１３】
連結片１６は、例えば、根元と先端のそれぞれに軸穴３０と軸穴４４を開口した２枚の長方形の板体を並列してなるもので、連結片１６の根元の軸穴３０には背板１２の軸穴２６と合致された状態で横棒３２を挿通して軸支部３４が構成される。よって、連結片１６は、軸支部３４を支点として背板１２に対し、開閉自在に取り付けられる。
【００１４】
また、軸支部３４には、例えば、先端にかぎ部３６を形成した、正面方向から見ると下方向に略コの字３８を形成するコイルばね４２が装填される。この装填は、略コの字３８の中央部の窪みに背板１２を挿入し、コイル部分４０に横棒３２を挿通し、両側部３７は連結片１６の内側に位置させて、かぎ部３６を内側上方から連結片１６の２枚の板体に引っ掛ける方法によるもので、かかる状態においてコイルばね４２は連結片１６を背板１２から離れる方向（背板１２に対し開く方向）に付勢する。
【００１５】
また、連結片１６の先端の軸穴４４には、横棒４８を挿通して針部材１４との係止部４６が形成され、後記するように連結片１６が最大に開いた位置では、必要に応じて針部材１４のスロープ部２８の内側に当接することもできる。また、連結片１６の２枚の板体の中間には、針部材１４のスロープ部２８が挿入できる十分な幅寸法を備えた隙間が形成されているので、一方では、ブローチ金具１０の使用中に針部材１４を保護するカバー部４７としての役割をも果たすことができる。なお、連結片１６の長さ、形状にも特に限定はないが、背板１２に対し最大に閉いた位置では、少なくとも針部材２８のスロープ部２８がカバー部４７に挿入され、連結片１６と針部材２８が連続することが必要となる。
【００１６】
なお、第１ブローチ金具１０は、前記したように背板１２の取り付け部２０のねじ穴２２より木ねじ２４をねじ込むことで、ブローチ本体１８に取り付けることができるが、もちろん、他の方法、例えば、ロー付け加工、強力接着剤等により取り付けることもできる。
【００１７】
このような第１ブローチ金具１０を使用する方法は、まず、連結片１６を手指で内側に押して針部材１４との連結を開放する。次に、ブローチ本体１８を取り付けたい所定部分の衣服４８を手指で前方に引っ張り出し、第１ブローチ金具１９を前傾し、後方にやや回すようにしながら、上方向から下方向へスライドする。略半円弧状をなす針部材１４の先端は自然に衣服を貫通し、裏側に突出する。さらに、第１ブローチ金具１０を回しながら、下方向にスライドすると、針部材１４の先端は再度衣服４８を貫通し、表側に突出する。
【００１８】
そして、この状態で押していた連結片１６を離すと、コイルばね４２の作用により、連結片１６は自然と押し下がるので（背板１２に対し開く状態となるので）、そのカバー部４７に針部材１４のスロープ部２８が挿入されると共に、必要な場合には、係止部４６にスロープ部の先端が当接し、この位置で連結片１６は停止する。
【００１９】
ここで、衣服４８の引っ張りを解放すると、衣服と第１ブローチ金具１０の間の距離は自然に消滅しかつコイルばね４２の力で連結片１６は押し下げられた状態となる。よって、針部材１４と連結片１６は連続し、全体としてループを形成するため、ブローチ金具１０が衣服４８から外れることはない。
【００２０】
なお、ブローチ本体１８を衣服４８から外す場合には、再度手指で連結片１６を内側に押し、針部材１４とのループを開放し、ブローチ金具１０を上方向にスライドさせれば、針部材１４は衣服４８から自然と離脱する。
【００２１】
図５において、（ａ）は、連結片が閉じた第２ブローチ金具を示す斜視図、（ｂ）は、連結片が開いた第２ブローチ金具を示す斜視図である。図６において、（ａ）は、背板に取り付けられた連結片を示す側面図、（ｂ）は、その平面図、（ｃ）は、背板に取り付けられた支持片を示す側面図、（ｄ）は、その平面図、（e）は、コイルばねを示す斜視図である。図７において、（ａ）は、第２ブローチ金具を示す平面図、（ｂ）は、第２ブローチ金具の動作を示す説明図である。図８において、（ａ）（ｂ）は、第２ブローチ金具の衣服への装着方法を示す説明図である。
【００２２】
第２ブローチ金具５０は、背板５２に針部材５４と連結片５６及び支持片５７を取り付けて構成されるもので、その素材や製法は、第１ブローチ金具１０とほぼ同様である。
【００２３】
背板５２は、例えば、幅３ｍｍ程度、厚み１ｍｍ程度の寸法で、長さはブローチ本体５８の大きさに応じて決定される板状体である。背板５２の上下２箇所には、翼状で両側方向に拡がる取り付け部６０が形成され、取り付け部６０の略中央にはねじ穴６２が開口され、例えば、木ねじ６４等を使用することで、背板５２はブローチ本体５８に対し９０度で突出する方向に取り付けられる。
【００２４】
また、背板５２の中部及び下部の所定箇所には、それぞれ横方向の軸穴６６及び軸穴６７が開口される。
【００２５】
針部材５４は、例えば、厚み１ｍｍ程度、幅１．５ｍｍ程度の背板上部から延設される偏平な板状体であり、側面から見た場合には略半円弧状に垂下し、先端方向に向かってなだらかなスロープ部６８を形成し、先端では鋭利となり、後記するように衣服等に突き刺すことができる。針部材５４を板状とするのは、その強度を高めるためであるが、もちろん線材からなる一般的な針形状を採用することができる。なお、針部材５４の長さ、形状に特に限定はないが、例えば、その長さを背板５２の長さの２分の１程度の寸法とすることができる。
【００２６】
連結片５６は、例えば、根元に軸穴６７を開口した断面略コの字状の板体からなるもので、軸穴６７と背板５２の軸穴６６が合致された状態で横棒６９を挿通して第１軸支部７４が構成される。連結片５６は、第１軸支部７４を支点として背板５２に対して開閉自在に取り付けられる。
【００２７】
また、連結片５６における略コの字状の板体の中間は、針部材５４のスロープ部６８の一部が挿入できる十分な寸法の隙間を有することで、針部材５４のカバー部７７を形成している。なお、連結片５６の長さ、形状にも特に限定はないが、背板５２に対し最大に閉いた位置では、少なくとも針部材５４の先端がカバー部７７に挿入され、かつ後記する支持片５７の係止部７６が連結片５６のロック部５９Ａに到達できるだけの長さでなければならない。
【００２８】
さらに、連結片５６には、側面方向から見ると、略中央に横長の開口部５９が形成され、その開口部５９の末端はかぎ状に上方に折れ曲がることでロック部５９Ａを形成している。この開口部５９に後記する支持片５７の係止部７６の横棒が挿入されると、支持片５７を連結片５６に枢動自在に取り付けることができる。
【００２９】
支持片５７は、例えば、それぞれの両端に軸穴６６及び軸穴８４を開口した２枚の冗長な板体を並列し、根元の軸穴６６と背板５２の軸穴６７が合致する状態で横棒７１が挿入されて第２軸支部７５が形成される。支持片５７は、第２軸支部７５を支点として背板５２に対し開閉自在とに取り付けられる。
【００３０】
また、支持片５７の先端における軸穴８４は連結片５６の開口部５９と合致され、支持片５７の２枚の板体の間に連結片５６が挟まれた状態で、軸穴８４及び開口部５９に横棒８８を挿入して、支持片の先端には針部材５４の係止部７６が形成されると共に、支持片５７は連結片５６に対し枢動自在に取り付けられる。なお、支持片５７の長さには特に限定はないが、背板５２に対し最大に閉いた位置で、少なくとも針部材５４の先端が２枚の板体の間に挿入され、かつ係止部７６が連結片５６のロック部５９Ａへ移動できるだけの長さが必要である。
【００３１】
支持片５７の第２軸支部７５には、例えば、第１ブローチ金具１０に使用されるコイルばね４２と同様のコイルばね８２が、同様の方法により装填される。この状態においてコイルばね８２は支持片５７を背板５２に対し開く方向に付勢する。
【００３２】
なお、第２ブローチ金具５０は、例えば、取り付け部６０のねじ穴６２より木ねじ６４をねじ込むことにより、ブローチ本体５８に取り付けることができるが、もちろん、他の方法、例えば、ロー付け加工、強力接着剤等により取り付けることも可能である。
【００３３】
このような第２ブローチ金具５０を使用する方法は、まず、支持片５７を手指で内側に押して連結片５６を下げ、針部材５４と連結片５６及び支持片５７との連続を開放する。次に、ブローチ本体５８を取り付けたい所定部分の衣服７８を手指で前方に引っ張り出し、第２ブローチ金具５０を前傾し、やや回すようにしながら、上方向から下方向へスライドする。略半円弧状をなす針部材５４の先端は自然に衣服７８を貫通し、裏側に突出する。さらに、第２ブローチ金具５０を回しながら、下方向にスライドすると、針部材５４の先端は再度衣服７８を貫通し、表側に突出する。
【００３４】
そして、この状態で支持片５７を離すと、コイルばね８２の作用により、支持片５７は自然と押し下がるので（背板５２に対し開くので）、支持片５７は連結片５６に対して枢動し、結果として連結片５６が押し上げられることで、カバー部７７に針部材５４のスロープ部６８が挿入されて、針部材５４と連結片５６及び支持片５７は連続する。さらに、連結片５６をやや押し上げ、支持片５７の係止部７６を連結片５６のロック部５９Ａに移動すると、この位置で支持片５７は停止し、連結片５６及び支持片５７の位置は固定される。
【００３５】
ここで、衣服７８の引っ張りを解放すると、身体と第２ブローチ金具５０の間の距離は自然になくなり、連結片５６は押し上げられ、ロックされた支持片５７は押し下げられたままの状態となる。この状態において、針部材５４と連結片５７は連続して全体としてループを形成し、ブローチ本体５８が衣服７８から外れることはない。
【００３６】
なお、ブローチ本体５８を衣服７８から外す場合には、再度手指で支持片５７を上方向に押し上げ、針部材５４と連結片５６とのループを開放し、第２ブローチ金具５０を上方向にスライドさせれば、針部材５４は衣服７８から自然と離脱する。
【００３７】
以上、上記の実施例では本発明が有利に適用される場合として、棒体あるいは板体から形成される背板に針部材と係止片及び連結片を取り付けた後、背板をブローチ本体に取り付けてブローチ金具とする場合を説明したが、本発明では背板が必須とされるものではなく、例えば、ブローチ本体の裏面に針部材、連結片等を直接に取り付けても良い。
【００３８】
また、上記第１ブローチ金具１０の実施例では、連結片の内側から針部材のスロープ部を挿入させる場合についてのみ説明したが、図９に示すように、外側から針部材に挿入させる方法による第１ブローチ金具９０を構成することもできる。この方法は、コイルばね９２のかぎ部９６Ａを連結片９６に外側下方から引っ掛ける方法によるもので、この状態においてコイルばね９２連結片９６を背板９２Ａに対し閉じる方向に付勢できる。
【００３９】
さらに、上記第２ブローチ金具５０において、図１０に示すように、連結片５６が支持片５７によりロックされた状態で、針部材５４と連結片５６により構成されるループ内にネックレスチェーン９８等を挿通すれば、ブローチ本体５８をペンダントヘッドとしても使用することができ、かかる使用方法はもちろん第１ブローチ金具１０にも適用できる。
【００４０】
加えて、上記第１ブローチ金具１０の実施例では、連結片が固定される位置は、その係止部が針部材のスロープ部と当接することで定まる構造のみを図示したが、本発明に係るブローチ金具において、係止部とスロープ部との当接は必ずしも必要なわけではない。例えば、図１１に示すように、軸支部１０４を連結片１０６の下端ではなく、やや上方（中間部）に位置させる一方、軸支部１０４の末端におけるブローチ本体１０８と当接する部分をスロープ状に形成して、根元係止部１０６Ａを備えた第１ブローチ金具１００を製作することができる。
【００４１】
第１ブローチ金具１００においては、連結片１０６が最大に開く状態において根元係止部１０６Ａがブローチ本体１０８に当接し、針部材１０４におけるスロープ部１１８が連結片１０６におけるカバー部１１７にわずかに挿入された位置等の所定の位置で連結片１０６を確実に固定できる。したがって、第１ブローチ金具１００は、係止部を必要とすることなく針部材１０４と連結片１０６により連続されるループは安定し、衣服等から外れることがない。そもそも針部材１０４におけるスロープ部１１８は鋭利であり、第１ブローチ金具１００においては連結片１０５の係止部１１６がスロープ部１１８に直接当たらないため、その損傷を防いで長期間の使用に耐えることができるという利点を有する。
【００４２】
また、このような連結片の形状は、第２ブローチ金具の係止片に採用することができるのはもちろんで、同様の技術的効果を奏することができる。
【００４３】
さらに加えて、上記第１ブローチ金具１０及び第２ブローチ金具５０の実施例では、連結片及び係止片を付勢する弾性体を、先端にかぎ部を形成し、正面方向から見ると下方向に略コの字を形成するコイルばねのみにより説明したが、そもそも本発明に係るブローチ金具において、連結片及び係止片を付勢する弾性体の形状に特別な限定があるわけではない。
【００４４】
例えば、図１２に示すように、通常のスプリング１３４や他の弾性体を使用した第１ブローチ金具１２０を製作することもでき、背板１２２の略中央に形成される突起片１２２Ａに所定の長さからなるスプリング１３４の一端を取り付けると共に、スプリング１３４の他端は連結片１２６内に設けられた底板１２６Ａに形成される突起片１２６Ｂに取り付けることで、連結片１２６を開方向に付勢することができる。この第１ブローチ金具１２０における連結片１２６はよりスムーズな動作をすることができ、特に年齢を重ねた人にも極めて使用し易いものである。
【００４５】
その他、例えば、針部材は前後左右に湾曲しつつ下方に垂下するような形状を採る等、本発明の技術的思想を具現化する構造のブローチ金具であって、デザインだけの違いであれば、本発明の範疇に含まれるのは当然である。
【図面の簡単な説明】
【００４６】
【図１】（ａ）は、連結片が閉じた第１ブローチ金具を示す斜視図、（ｂ）は、連結片を開いた第１ブローチ金具を示す斜視図である。
【図２】第１ブローチ金具を閉じた状態を示す平面図である。
【図３】コイルばねを示す斜視図である。
【図４】（ａ）（ｂ）は、第１ブローチ金具の衣服への装着方法を示す説明図である。
【図５】（ａ）は、連結片を閉じた第２ブローチ金具を示す斜視図、（ｂ）は、連結片を開いた第２ブローチ金具を示す斜視図である。
【図６】（ａ）は、背板に取り付けられた連結片を示す側面図、（ｂ）は、その平面図、（ｃ）は、背板に取り付けられた支持片を示す側面図、（ｄ）は、その平面図、（e）は、コイルばねを示す斜視図である。
【図７】（ａ）は、第２ブローチ金具を示す平面図、（ｂ）は、第２ブローチ金具の動作を示す説明図である。
【図８】（ａ）（ｂ）は、第２ブローチ金具の衣服への装着方法を示す説明図である。
【図９】連結片が外側から針部材に当接する第１ブローチ金具を示す斜視図である。
【図１０】第２ブローチ金具を取り付けたブローチ本体をペンダントヘッドとしても使用する状態を示す斜視図である。
【図１１】（ａ）は、連結片に根元係止部を備えた第１ブローチ金具が開いた状態を示す側面図、（ｂ）は、連結片に根元係止部を備えた第１ブローチ金具が閉じた状態を示す側面図である。
【図１２】他の弾性体を使用した第１ブローチ金具を示す側面図である。
【図１３】従来のブローチ金具を改良したものを示す説明図である。
【図１４】従来のブローチ金具を改良したものを示す部分拡大図である。
【符号の説明】
【００４７】
１０  第１ブローチ金具
１２  背板
１４  針部材
１６  連結片
１８  ブローチ本体
１９第１ブローチ金具
２０  取り付け部
２２  ねじ穴
２４  木ねじ
２６  軸穴
２８  スロープ部
３０  軸穴
３２  横棒
３４  軸支部
３６  かぎ部
３７  両側部
３８  コの字
４０  コイル部分
４２  コイルばね
４４  軸穴
４６  係止部
４７  カバー部
４８  横棒
４８  衣服
５０  第２ブローチ金具
５２  背板
５４  針部材
５６  連結片
５７  支持片
５８  ブローチ本体
５９  開口部
５９Ａ  ロック部
６０  取り付け部
６２  ねじ穴
６４  木ねじ
６６  軸穴
６７  軸穴
６８  スロープ部
６９横棒
７１  横棒
７４  第１軸支部
７５  第２軸支部
７６  係止部
７７  カバー部
７８  衣服
８２  コイルばね
８４  軸穴
８８  横棒
９０  第１ブローチ金具
９２  コイルばね
９２Ａ  背板
９６  連結片
９６Ａ  かぎ部
９８  ネックレスチェーン
１００  第１ブローチ金具
１０４  軸支部
１０４  針部材
１０５  連結片
１０６  連結片
１０６Ａ  根元係止部
１０８  ブローチ本体
１１６  スロープ部
１１６  係止部
１１７  カバー部
１２２  背板
１２２Ａ  突起片
１２６  連結片
１２６Ａ  底板
１２６Ｂ  突起片
１３４  スプリング
１４０  ブローチ金具
１４２  ブローチ本体
１４４  係止片
１４６  端部
１４８  係止受体
１４８ａ  切り欠き部
１４８ｂ  円筒
１５０  筒部
１５０ａ  フランジ部
１５８  係止受体
１５８ｂ  円筒
【図１】
0005189850.tif 000002
【図２】
0005189850.tif 000003
【図３】
0005189850.tif 000004
【図４】
0005189850.tif 000005
【図５】
0005189850.tif 000006
【図６】
0005189850.tif 000007
【図７】
0005189850.tif 000008
【図８】
0005189850.tif 000009
【図９】
0005189850.tif 000010
【図１０】
0005189850.tif 000011
【図１１】
0005189850.tif 000012
【図１２】
0005189850.tif 000013
【図１３】
0005189850.tif 000014
【図１４】
0005189850.tif 000015